(57)【要約】【課題】電気装置を別の装置に安定的に電気的に接続することができる電気的接続装置を提供すること。【解決手段】本発明による電気的接続装置は、少なくとも１つの電気的構成要素の少なくとも１つの電極を電気的に接続しかつクランプするための少なくとも１つの治具を備える。治具は、第１のクランプ部、第２のクランプ部、および第１の検出弾性シートを備える。第２のクランプ部は第１のクランプ部に対向して配置される。電極は、第１のクランプ部と第２のクランプ部との間に電気的に接続されかつクランプされるように構成される。第１の検出弾性シートは第１のクランプ部で固定される。第１の検出弾性シートは第１のセンサに接続され、第１の接触部を形成される。第１のセンサは電気的構成要素の第１のパラメータを検知するために使用され、第１の接触部は電極と接触するために使用される。【選択図】  図１
2013019896.tif 000002
【特許請求の範囲】
【請求項１】
少なくとも１つの電気的構成要素の少なくとも１つの電極を電気的に接続しかつクランプするための少なくとも１つの治具を備える電気的接続装置であって、前記治具が、
第１のクランプ部と、
前記第１のクランプ部に対向して配置された第２のクランプ部であって、前記電極が前記第１のクランプ部と前記第２のクランプ部との間に電気的に接続されかつクランプされるように構成される、第２のクランプ部と、
前記第１のクランプ部で固定された第１の検出弾性シートであって、第１のセンサに接続されかつ第１の接触部を形成され、前記第１のセンサが前記電気的構成要素の第１のパラメータを検知するために使用され、前記第１の接触部が前記電極と接触するために使用される、第１の検出弾性シートと、
を備える電気的接続装置。
【請求項２】
当該電気的接続装置が複数の治具を備え、前記治具が、少なくとも１つの第１の治具と少なくとも１つの第２の治具とに分けられ、前記第１の治具が、前記電気的構成要素の第１の電極を電気的に接続しかつクランプするために使用され、前記第２の治具が、前記電気的構成要素の第２の電極を電気的に接続しかつクランプするために使用される、請求項１に記載の電気的接続装置。
【請求項３】
前記第２の治具が、前記第２の治具の前記第２のクランプ部で固定された第２の検出弾性シートをさらに備え、
前記第２の検出弾性シートは、第２のセンサを備え、かつ第２の接触部が形成され、前記第２のセンサが前記電気的構成要素の第２のパラメータを検知するために使用され、前記第２の接触部が前記電極と接触するために使用される、請求項２に記載の電気的接続装置。
【請求項４】
前記第２の検出弾性シートが、回路板および弾性シート本体をさらに備え、前記回路板が前記第２の接触部および前記弾性シート本体でそれぞれ固定され、前記第２のセンサが前記回路板上に配置され、前記回路板を介して前記弾性シート本体に電気的に接続される、請求項３に記載の電気的接続装置。
【請求項５】
前記第１の治具において、
前記第１の検出弾性シートが前記第１のクランプ部の外側部分に固定され、前記第１のクランプ部が第１の穿孔を含み、前記第１の接触部が前記第１の穿孔を挿通し、前記電気的構成要素の前記第１の電極と接触するように前記第１のクランプ部と前記第２のクランプ部との間に部分的に配置される、請求項３に記載の電気的接続装置。
【請求項６】
前記第１の治具が、
前記第１のクランプ部と前記第２のクランプ部との間に配置されかつ前記第１のクランプ部で固定された第１の接触弾性シートと、
前記第１のクランプ部と前記第２のクランプ部との間に前記第１の接触弾性シートに対向して配置されかつ前記第２のクランプ部で固定された第２の接触弾性シートと、
をさらに備え、
前記第１のクランプ部および前記第２のクランプ部がそれぞれ、前記第１の接触弾性シートおよび前記第２の接触弾性シートによって前記第１の電極を電気的に接続しかつクランプする、請求項５に記載の電気的接続装置。
【請求項７】
前記第１の治具において、
前記第１の接触弾性シートが第１の貫通孔を有し、前記第１の検出弾性シートの前記第１の接触部が前記第１の貫通孔を挿通し、前記電気的構成要素の前記第１の電極と接触するように前記第１のクランプ部と前記第２のクランプ部との間に部分的に配置される、請求項６に記載の電気的接続装置。
【請求項８】
前記第１の治具が、前記第１のクランプ部を前記第１の検出弾性シートから絶縁するために、前記第１のクランプ部と前記第１の検出弾性シートとの間にクランプされた第１の絶縁シートを備える、請求項５に記載の電気的接続装置。
【請求項９】
前記第２の治具において、
前記第１の検出弾性シートが前記第１のクランプ部の外側部分に固定され、前記第１のクランプ部が第１の穿孔を含み、前記第１の接触部が前記第１の穿孔を挿通し、前記電気的構成要素の前記第２の電極と接触するように前記第１のクランプ部と前記第２のクランプ部との間に部分的に配置され、
前記第２の検出弾性シートが前記第２のクランプ部の外側部分に固定され、前記第２のクランプ部が第２の穿孔を含み、前記第２の接触部が前記第２の穿孔を挿通し、前記電気的構成要素の前記第２の電極と接触するように前記第１のクランプ部と前記第２のクランプ部との間に部分的に配置される、請求項３に記載の電気的接続装置。
【請求項１０】
前記第２の治具が、
前記第１のクランプ部と前記第２のクランプ部との間に配置されかつ前記第１のクランプ部で固定された第１の接触弾性シートと、
前記第１のクランプ部と前記第２のクランプ部との間に前記第１の接触弾性シートに対向して配置されかつ前記第２のクランプ部で固定された第２の接触弾性シートと、
をさらに備え、
前記第１のクランプ部および前記第２のクランプ部がそれぞれ、前記第１の接触弾性シートおよび前記第２の接触弾性シートによって前記第２の電極を電気的に接続しかつクランプする、請求項９に記載の電気的接続装置。
【請求項１１】
前記第２の治具において、
前記第１の接触弾性シートが第１の貫通孔を有し、前記検出弾性シートの前記第１の接触部が前記第１の貫通孔を挿通し、前記電気的構成要素の前記第２の電極と接触するように前記第１のクランプ部と前記第２のクランプ部との間に部分的に配置され、
前記第２の接触弾性シートが第２の貫通孔を有し、前記第２の検出弾性シートの前記第２の接触部が前記第２の貫通孔を挿通し、前記電気的構成要素の前記第２の電極と接触するように前記第１のクランプ部と前記第２のクランプ部との間に部分的に配置される、請求項１０に記載の電気的接続装置。
【請求項１２】
前記第２の治具が、
前記第１のクランプ部を前記第１の検出弾性シートから絶縁するために、前記第１のクランプ部と前記第１の検出弾性シートとの間にクランプされた第１の絶縁シートと、
前記第２のクランプ部を前記第２の検出弾性シートから絶縁するために、前記第２のクランプ部と前記第２の検出弾性シートとの間にクランプされた第１の絶縁シートと、
を備える、請求項９に記載の電気的接続装置。
【請求項１３】
リンク、固定部、第１の摺動部、および第２の摺動部を備える第１の相対摺動装置であって、前記第１の相対摺動装置の前記第１の摺動部が前記第１の治具の前記第１のクランプ部で固定され、前記第１の相対摺動装置の前記第２の摺動部が前記第１の治具の前記第２のクランプ部で固定され、前記リンクの第１の端部が前記第１の摺動部で枢動可能に固定され、前記リンクの第２の端部が前記第２の摺動部で枢動可能に固定され、前記リンクの中心が前記固定部で枢動可能に固定される、第１の相対摺動装置と、
リンク、固定部、第１の摺動部、および第２の摺動部を備える第２の相対摺動装置であって、前記第２の相対摺動装置の前記第１の摺動部が前記第２の治具の前記第１のクランプ部で固定され、前記第２の相対摺動装置の前記第２の摺動部が前記第２の治具の前記第２のクランプ部で固定され、前記リンクの第１の端部が前記第１の摺動部で枢動可能に固定され、前記リンクの第２の端部が前記第２の摺動部で枢動可能に固定され、前記リンクの中心が前記固定部で枢動可能に固定される、第２の相対摺動装置と、
前記第１の相対摺動装置の前記第１の摺動部および前記第２の相対摺動装置の前記第１の摺動部で固定された連結棒と、
をさらに備え、
前記連結棒が外力によって押されると、前記第１の治具の前記第１のクランプ部および前記第２のクランプ部が互いに逆向きに動かされ、前記第２の治具の前記第１のクランプ部および前記第２のクランプ部が互いに逆向きに動かされる、請求項３に記載の電気的接続装置。
【請求項１４】
当該電気的接続装置が複数の前記第１の治具および複数の前記第２の治具を備え、前記第１の治具がそれぞれ、複数の前記電気的構成要素の前記第１の電極を電気的に接続しかつクランプするために使用され、前記第２の治具がそれぞれ、前記複数の前記電気的構成要素の前記第２の電極を電気的に接続しかつクランプするために使用され、
前記第１の相対摺動装置の前記第１の摺動部が前記第１の治具の前記第１のクランプ部で固定され、前記第１の相対摺動装置の前記第２の摺動部が前記第１の治具の前記第２のクランプ部で固定され、
前記第２の相対摺動装置の前記第１の摺動部が前記第２の治具の前記第１のクランプ部で固定され、前記第２の相対摺動装置の前記第２の摺動部が前記第２の治具の前記第２のクランプ部で固定される、請求項１３に記載の電気的接続装置。
【請求項１５】
前記外力を与えるように前記連結棒で固定された空気圧シリンダをさらに備える、請求項１３に記載の電気的接続装置。
【請求項１６】
前記第１のセンサが電圧センサである、請求項３に記載の電気的接続装置。
【請求項１７】
前記第２のセンサが温度センサである、請求項３に記載の電気的接続装置。
【請求項１８】
前記第２のセンサがサーミスタである、請求項１７に記載の電気的接続装置。
【請求項１９】
前記電気的構成要素の前記第１の電極がアノードであり、前記電気的構成要素の前記第２の電極がカソードである、請求項３に記載の電気的接続装置。
【請求項２０】
前記電気的構成要素がポーチ型電池である、請求項１に記載の電気的接続装置。
【発明の詳細な説明】
【技術分野】
【０００１】
本発明は治具に関し、より詳細には電気的接続装置の治具に関する。
【背景技術】
【０００２】
情報化時代の到来とともに、様々な電気的構成要素が日常生活および様々な産業で広く使用されるようになってきている。電気的構成要素は、使用される前に様々なプロセスを受けかつ様々な試験に合格する必要がある。したがって、電気的構成要素が受ける必要がある試験およびプロセスで使用される電気的接続装置は、電気的構成要素自体が使用されうる前に頻繁に使用されなければならないツールである。
【０００３】
一般的な電気的構成要素が様々なプロセスを受ける場合、電気的構成要素の電極をプロセス装置に接続するために電気的接続装置が必要であり、電極と接触して電気的構成要素の工程管理および品質管理（ＱＣ）用の参照データとして使用されるべき電気的構成要素のパラメータを検知するためにセンシング端子が使用される。
【０００４】
しかしながら、電気的接続装置は電極をプロセス装置に接続するために使用され、センシング端子は電極と接触するために使用されるので、電極を電気的に接続する動作は２回行われる必要があり、それにより、かかるプロセスの運転時間およびコストが大きく増大し、センシング端子が電極と接触する安定性が低下する。
【０００５】
この点を踏まえて、電気的接続装置が電気装置を別の装置に安定的に電気的に接続できるようにし、一方ではセンシング端子が電気的構成要素の電極と安定的に接触して電気的構成要素のパラメータを検知できるようにするためにどうするのが最良かという問題は、当業界で解決されるべき緊急の課題である。
【発明の概要】
【発明が解決しようとする課題】
【０００６】
本発明の一目的は、電気装置を別の装置に安定的に電気的に接続することができ、一方ではセンシング端子が電気的構成要素の電極と安定的に接触して電気的構成要素のパラメータを検知できるようにする電気的接続装置を提供することである。
【課題を解決するための手段】
【０００７】
上記の目的を達成するために、少なくとも１つの電気的構成要素の少なくとも１つの電極を電気的に接続しかつクランプするために使用される本発明の電気的接続装置は少なくとも１つの治具を含む。治具は、第１のクランプ部、第２のクランプ部、および第１の検出弾性シートを含む。第２のクランプ部は第１のクランプ部に対向して配置される。電極は、第１のクランプ部と第２のクランプ部との間に電気的に接続されかつクランプされるように構成される。第１の検出弾性シートは第１のクランプ部で固定される。第１の検出弾性シートは第１のセンサに接続され、第１の接触部を形成される。第１のセンサは電気的構成要素の第１のパラメータを検知するために使用され、第１の接触部は電極と接触するために使用される。
【０００８】
したがって、本発明の電気的接続装置は、電気装置を別の装置に電気的に接続することができ、一方では電気的構成要素の電極と安定的に接触して電気的構成要素のパラメータを検知するために電気的接続装置内に組み込まれた検出弾性シートを使用することができる。
【０００９】
本発明について添付図面に従って説明する。
【図面の簡単な説明】
【００１０】
【図１】本発明の好ましい一実施形態による電気的接続装置の概略斜視図である。
【図２】本発明の好ましい一実施形態による電気的接続装置の概略上面図である。
【図３】本発明の好ましい一実施形態による電気的接続装置の第１の治具の概略斜視分解図である。
【図４】本発明の好ましい一実施形態による電気的接続装置の第２の治具の概略斜視分解図である。
【発明を実施するための形態】
【００１１】
本発明の電気的接続装置１の好ましい一実施形態では、最初に図１および図２を参照する。本発明の電気的接続装置１は少なくとも１つの治具１１、１２を含む。治具１１、１２は、少なくとも１つの電気的構成要素９の少なくとも１つの電極９１、９２を電気的に接続しかつクランプするために使用される。各治具は、第１のクランプ部１３１、第２のクランプ部１３２、および第１の検出弾性シート１４１を含む。第２のクランプ部１３２は第１のクランプ部１３１に対向して配置される。電極９１、９２は、第１のクランプ部１３１と第２のクランプ部１３２との間に電気的に接続されかつクランプされるように構成される。さらに図３および図４を参照すると、第１の検出弾性シート１４１は第１のクランプ部１３１で固定される。第１の検出弾性シート１４１は第１のセンサ（図示せず）に接続され、第１の接触部１４１ａを形成される。第１のセンサは電気的構成要素９の第１のパラメータを検知するために使用され、第１の接触部１４１ａは、第１の検出弾性シート１４１の弾性を使用することによって電極９１、９２と安定的に接触するために使用される。本発明の好ましい実施形態の電気的接続装置１は、複数の電気的構成要素９の複数の電極９１、９２を同時に電気的に接続しかつクランプし、したがって複数の治具１１、１２を含む。
【００１２】
治具１１、１２は、第２の検出弾性シート１４２を含まない少なくとも１つの第１の治具１１（図３に示されている）と第２の検出弾性シート１４２を含む少なくとも１つの第２の治具１２（図４に示されている）とに分けられる。第１の治具１１は、電気的構成要素９の第１の電極９１を電気的に接続しかつクランプするために使用され、第２の治具１２は、電気的構成要素９の第２の電極９２を電気的に接続しかつクランプするために使用される。
【００１３】
図３を参照すると、第１の治具１１において、第１の検出弾性シート１４１は第１のクランプ部１３１の外側部分に固定される。第１のクランプ部１３１は第１の穿孔１３１ａを含む。第１の接触部１４１ａは第１の穿孔１３１ａを挿通し、電気的構成要素９の第１の電極９１と接触するように第１のクランプ部１３１と第２のクランプ部１３２との間に部分的に配置される。
【００１４】
第１の治具１１は、第１の接触弾性シート１５１および第２の接触弾性シート１５２をさらに含むことが好ましい。第１の接触弾性シート１５１は、第１のクランプ部１３１と第２のクランプ部１３２との間に配置されかつ第１のクランプ部１３１で固定される。第２の接触弾性シート１５２は、第１のクランプ部１３１と第２のクランプ部１３２との間に第１の接触弾性シート１５１に対向して配置されかつ第２のクランプ部１３２で固定される。したがって、第１のクランプ部１３１および第２のクランプ部１３２はそれぞれ、第１の接触弾性シート１５１および第２の接触弾性シート１５２の弾性によって電気的構成要素９の第１の電極９１を安定的に電気的に接続しかつクランプする。
【００１５】
第１の治具１１では、第１の接触弾性シート１５１は第１の貫通孔１５１ａを有する。第１の検出弾性シート１４１の第１の接触部１４１ａは第１の貫通孔１５１ａを挿通し、電気的構成要素９の第１の電極９１と接触するように第１のクランプ部１３１と第２のクランプ部１３２との間に部分的に配置される。
【００１６】
本発明の第１の治具１１は、第１のクランプ部１３１を第１の検出弾性シート１４１から絶縁するために、第１のクランプ部１３１と第１の検出弾性シート１４１との間にクランプされた第１の絶縁シート１６１をさらに含むことが好ましい。したがって、第１のクランプ部１３１と第２のクランプ部１３２の電気的接続によって電気的構成要素９の第１の電極９１に伝達される様々な電気信号または電気エネルギーは、干渉を回避するように、第１の検出弾性シート１４１によって検出される第１のパラメータから分離することができる。
【００１７】
さらに、本発明の第１の治具１１では、複数のねじ１０１および絶縁プラスチックワッシャ１０２が、第１の接触弾性シート１５１と第１のクランプ部１３１と第１の絶縁シート１６１と第１の検出弾性シート１４１とを互いに固定しかつ第２の接触弾性シート１５２と第２のクランプ部１３２とを互いに固定するために使用される。
【００１８】
図４を参照すると、第２の治具１２は、第１のクランプ部１３１、第２のクランプ部１３２、および第１の検出弾性シート１４１に加えて、第２の検出弾性シート１４２をさらに含む。第２の検出弾性シート１４２は、第２の治具１２の第２のクランプ部１３２で固定される。第２の検出弾性シート１４２は第２の接触部１４２ａを形成され、第２のセンサ１４２ｂを含む。第２のセンサ１４２ｂは電気的構成要素９の第２のパラメータを検知するために使用され、第２の接触部１４２ａは、第２の検出弾性シート１４２の弾性を使用することにより第２の電極９２と安定的に接触するために使用される。したがって、本発明の電気的接続装置１は、電気的構成要素９のプロセスを実行しながら、電気的構成要素９の２つの異なるパラメータを検出することができる。
【００１９】
好ましい一実施形態では、第１の検出弾性シート１４１によって接続される第１のセンサは電圧センサであり、第２の検出弾性シート１４２内に配置される第２のセンサ１４２ｂは温度センサである。第２のセンサ１４２ｂはサーミスタとすることができる。図３および図４を参照すると、本発明の電気的接続装置１では、第１の治具１１の第１の検出弾性シート１４１および第２の治具１２の第１の検出弾性シート１４１は、それぞれ電気的構成要素９の第１の電極９１および第２の電極９２を電圧検知装置の第１のセンサに接触させかつ電気的に接続して電気的構成要素９の第１の電極９１と第２の電極９２との間の電圧差を検出するために使用される。別の態様では、本発明の電気的接続装置１では、第２の検出弾性シート１４２は電気的構成要素９の２１の電極９２と接触するために使用され、第２のセンサ１４２ｂは、第２の検出弾性シート１４２の第２の接触部１４２ａを通じて電気的構成要素９の温度を検知するために使用される。
【００２０】
特に図４を参照すると、上記の好ましい実施形態では、第２の治具１２の第２の検出弾性シート１４２は回路板１４２ｃおよび弾性シート本体１４２ｄをさらに含む。回路板１４２ｃは、第２の接触部１４２ａおよび弾性シート本体１４２ｄにそれぞれ固定される。第２のセンサ１４２ｂは回路板１４２ｃ上に配置され、回路板１４２ｃを介して弾性シート本体１４２ｄに電気的に接続される。
【００２１】
第２の治具１２は、第１のクランプ部１３１および第１の検出弾性シート１４１の態様で第１の治具１１と類似している。第２の治具１２において、第１の検出弾性シート１４１は第１のクランプ部１３１の外側部分に固定される。第１のクランプ部１３１は第１の穿孔１３１ａを含む。第１の検出弾性シート１４１の第１の接触部１４１ａは第１の穿孔１３１ａを挿通し、電気的構成要素９の第２の電極９２と接触するように第１のクランプ部１３１と第２のクランプ部１３２との間に部分的に配置される。第２の検出弾性シート１４２は第２のクランプ部１３２の外側部分に固定される。第２のクランプ部１３２もまた第２の穿孔１３２ａを含む。第２の検出弾性シート１４２の第２の接触部１４２ａは第２の穿孔１３２ａを挿通し、電気的構成要素９の第２の電極９２と接触するように第１のクランプ部１３１と第２のクランプ部１３２との間に部分的に配置される。
【００２２】
第２の治具１２は、第１の治具１１と同様に、第１の接触弾性シート１５１および第２の接触弾性シート１５２をさらに含むことが好ましい。第１の接触弾性シート１５１は、第１のクランプ部１３１と第２のクランプ部１３２との間に配置されかつ第１のクランプ部１３１で固定される。第２の接触弾性シート１５２は、第１のクランプ部１３１と第２のクランプ部１３２との間に第１の接触弾性シート１５１に対向して配置されかつ第２のクランプ部１３２で固定される。第１のクランプ部１３１および第２のクランプ部１３２はそれぞれ、第１の接触弾性シート１５１および第２の接触弾性シート１５２の弾性によって電気的構成要素９の第２の電極９２を安定的に電気的に接続しかつクランプする。
【００２３】
第２の治具１２において、第１の接触弾性シート１５１は第１の貫通孔１５１ａを有する。第１の検出弾性シート１４１の第１の接触部１４１ａは第１の貫通孔１５１ａを挿通し、電気的構成要素９の第２の電極９２と接触するように第１のクランプ部１３１と第２のクランプ部１３２との間に部分的に配置される。第２の接触弾性シート１５２もまた第２の貫通孔１５２ａを有する。第２の検出弾性シート１４２の第２の接触部１４２ａは第２の貫通孔１５２ａを挿通し、電気的構成要素９の第２の電極９２と接触するように第１のクランプ部１３１と第２のクランプ部１３２との間に部分的に配置される。
【００２４】
第２の治具１２は、第１の絶縁シート１６１および第２の絶縁シート１６２を含むことが好ましい。第１の絶縁シート１６１は、第１のクランプ部１３１を第１の検出弾性シート１４１から絶縁するために、第１のクランプ部１３１と第１の検出弾性シート１４１との間にクランプされる。第２の絶縁シート１６２は、第２のクランプ部１３２を第２の検出弾性シート１４２から絶縁するために、第２のクランプ部１３２と第２の検出弾性シート１４２との間にクランプされる。したがって、第１のクランプ部１３１と第２のクランプ部１３２の電気的接続部によって電気的構成要素９の第２の電極９２に伝達される様々な電気信号または電気エネルギーは、干渉を回避するように、第１の検出弾性シート１４１によって検出される第１のパラメータ（例えば電圧）および第２の検出弾性シート１４２によって検出される第２のパラメータ（例えば温度）から分離することができる。さらに、本発明の第２の治具１２では、複数のねじ１０１および絶縁プラスチックワッシャ１０２が、第１の接触弾性シート１５１と第１のクランプ部１３１と第１の絶縁シート１６１と第１の検出弾性シート１４１とを互いに固定しかつ第２の接触弾性シート１５２と第２のクランプ部１３２と第２の絶縁シート１６２と第２の検出弾性シート１４２とを互いに固定するために使用される。
【００２５】
図１および図２を参照すると、第１の治具１１および第２の治具１２の第１のクランプ部１３１および第２のクランプ部１３２がそれぞれ電気的構成要素９の第１の電極９１および第２の電極９２を同時にクランプするように第１の治具１１および第２の治具１２を同時に作動させるために、本発明の電気的接続装置１は、第１の相対摺動装置１７１、第２の相対摺動装置１７２、および連結棒１８をさらに含む。
【００２６】
第１の相対摺動装置１７１は、リンク１７１ａ、固定部１７１ｂ、第１の摺動部１７１ｃ、および第２の摺動部１７１ｄを含む。第１の相対摺動装置１７１の第１の摺動部１７１ｃは第１の治具１１の第１のクランプ部１３１で固定され、第１の相対摺動装置１７１の第２の摺動部１７１ｄは第１の治具１１の第２のクランプ部１３２で固定される。リンク１７１ａの第１の端部が第１の摺動部１７１ｃで枢動可能に固定され、リンク１７１ａの第２の端部が第２の摺動部１７１ｄで枢動可能に固定され、リンク１７１ａの中心が固定部１７１ｂで枢動可能に固定される。
【００２７】
同様に、第２の相対摺動装置１７２もまた、リンク１７２ａ、固定部１７２ｂ、第１の摺動部１７２ｃ、および第２の摺動部１７２ｄを含む。第２の相対摺動装置１７２の第１の摺動部１７２ｃは第２の治具１２の第１のクランプ部１３１で固定され、第２の相対摺動装置１７２の第２の摺動部１７２ｄは第２の治具１２の第２のクランプ部１３２で固定される。リンク１７２ａの第１の端部が第１の摺動部１７２ｃで枢動可能に固定され、リンク１７２ａの第２の端部が第２の摺動部１７２ｄで枢動可能に固定され、リンク１７２ａの中心が固定部１７２ｂで枢動可能に固定される。
【００２８】
連結棒１８は、第１の相対摺動装置１７１の第１の摺動部１７１ｃおよび第２の相対摺動装置１７２の第１の摺動部１７２ｃで固定される。したがって、連結棒１８が外力によって押されると、第１の治具１１の第１のクランプ部１３１および第２のクランプ部１３２は互いに逆向きに動かされ、第２の治具１２の第１のクランプ部１３１および第２のクランプ部１３２は互いに逆向きに動かされる。本発明の電気的接続装置１は、外力を与えるように連結棒１８で固定された空気圧シリンダ１９をさらに含むことができる。
【００２９】
図１および図２を参照すると、本発明の電気的接続装置１は、好ましくは複数の電気的構成要素９を同時に接続するために使用することができる。電気的構成要素９は、好ましくはトレイ８上に置くことができる。したがって、本発明の電気的接続装置１は、それに応じて複数の第１の治具１１および複数の第２の治具１２を含むことができる。ここで第１の治具１１の数および第２の治具１２の数は電気的構成要素９の数に対応する。第１の治具１１はそれぞれ、すべての電気的構成要素９のすべての第１の電極９１を電気的に接続しかつクランプするために使用され、第２の治具１２はそれぞれ、すべての電気的構成要素９のすべての第２の電極９２を電気的に接続しかつクランプするために使用される。図１および図２には、第１の治具１１の一部および第２の治具１２の一部しか例として示されていない。当業者なら、第１の治具１１および第２の治具１２の数が増大した場合、本発明の電気的接続装置１は、同時により多くの電気的構成要素９のすべての第１の電極９１およびすべての第２の電極９２を電気的に接続しかつ固定することができることを導き出すことができる。
【００３０】
第１の治具１１および第２の治具１２の第１のクランプ部１３１および第２のクランプ部１３２のすべてが同時に作動しそしてすべての電気的構成要素９の第１の電極９１および第２の電極９２をクランプするように、第１の治具１１および第２の治具１２のすべてを同時に作動させるために、すべての第１の治具１１が第１の相対摺動装置１７１上に取り付けられ、すべての第２の治具１２が第２の相対摺動装置１７２上に取り付けられる。
【００３１】
第１の相対摺動装置１７１の第１の摺動部１７１ｃはすべての第１の治具１１の第１のクランプ部１３１で固定され、第１の相対摺動装置１７１の第２の摺動部１７１ｄはすべての第１の治具１１の第２のクランプ部１３２で固定される。第２の相対摺動装置１７２の第１の摺動部１７２ｃはすべての第２の治具１２の第１のクランプ部１３１で固定され、第２の相対摺動装置１７２の第２の摺動部１７２ｄはすべての第２の治具１２の第２のクランプ部１３２で固定される。したがって、連結棒１８が外力によって押されると、すべての第１の治具１１の第１のクランプ部１３１および第２のクランプ部１３２は互いに逆向きに動かされ、すべての第２の治具１２の第１のクランプ部１３１および第２のクランプ部１３２は互いに逆向きに動かされる。
【００３２】
好ましい一実施形態では、第２の治具１２の第２の検出弾性シート１４２は電気的構成要素９の温度を検出するために使用され、したがって、第２の治具１２によってクランプされた第２の電極９２はより良い熱伝導性をもつ材料で作られることが好ましい。したがって、電気的構成要素９のカソードがアノードより良い熱伝導性をもつ材料で作られる場合、電気的構成要素９の第１の電極９１はアノードであることが好ましく、電気的構成要素９の第２の電極９２はカソードであることが好ましい。
【００３３】
本発明の電気的接続装置１の一応用例では、電気的接続装置１によってクランプされかつ電気的に接続される電気的構成要素９はポーチ型電池である。この応用例では、本発明の電気的接続装置１において、第１の治具１１の第１のクランプ部１３１および第２のクランプ部１３２はポーチ型電池の第１の電極９１をクランプするために使用することができ、第２の治具１２の第１のクランプ部１３１および第２のクランプ部１３２はポーチ型電池の第２の電極９２をクランプするために使用することができ、それによってポーチ型電池に対して充電や形成などのプロセスを実行する。同時に、本発明の電気的接続装置１において、第１の治具１１の第１の検出弾性シート１４１および第２の治具１２の第１の検出弾性シート１４１は、それぞれポーチ型電池の第１の電極９１および第２の電極９２と接触しかつポーチ型電池の第１の電極９１および第２の電極９２を電圧検知装置の第１のセンサに電気的に接続してポーチ型電池の第１の電極９１と第２の電極９２との間の電圧差を検出するために使用することができ、第２の検出弾性シート１４２は、ポーチ型電池の第２の電極９２と接触するために使用することができ、第２のセンサ１４２ｂは、第２の検出弾性シート１４２の第２の接触部１４２ａを通じてポーチ型電池の温度を検知するために使用することができる。したがって、充電や形成などのプロセス中のポーチ型電池の状態はよく知られ、それに応じて制御することができる。
【００３４】
したがって、本発明の電気的接続装置は、電気装置を別の装置に電気的に接続することができ、一方では電気的構成要素の電極と安定的に接触して電気的構成要素のパラメータを検知するために電気的接続装置内に組み込まれた検出弾性シートを使用することができる。上記の実施形態は、本発明の好ましい一実施形態を例示しているにすぎず、本発明を限定するものではない。当業者なら上記の実施形態を参照して他の実施形態を容易に得るであろう。本出願の範囲は添付の特許請求の範囲に基づいて決定されるべきである。
【符号の説明】
【００３５】
１…電気的接続装置、８…トレイ、９…電気的構成要素、１１…第１の治具、１２…第２の治具、１８…連結棒、１９…空気圧シリンダ、９１…第１の電極、９２…第２の電極、１０１…ねじ、１０２…絶縁プラスチックワッシャ、１３１…第１のクランプ部、１３１ａ…第１の穿孔、１３２…第２のクランプ部、１３２ａ…第２の穿孔、１４１…第１の検出弾性シート、１４１ａ…第１の接触部、１４２…第２の検出弾性シート、１４２ａ…第２の接触部、１４２ｂ…第２のセンサ、１４２ｃ…回路板、１４２ｄ…弾性シート本体、１５１…第１の接触弾性シート、１５１ａ…第１の貫通孔、１５２…第２の接触弾性シート、１５２ａ…第２の貫通孔、１６１…第１の絶縁シート、１６２…第２の絶縁シート、１７１…第１の相対摺動装置、１７１ａ、１７２ａ…リンク、１７１ｂ、１７２ｂ…固定部、１７１ｃ、１７２ｃ…第１の摺動部、１７１ｄ、１７２ｄ…第２の摺動部、１７２…第２の相対摺動装置
【図１】
2013019896.tif 000003
【図２】
2013019896.tif 000004
【図３】
2013019896.tif 000005
【図４】
2013019896.tif 000006
【外国語明細書】
2013019896000001.pdf